(57)【要約】【課題】購入単価が安い市販のパイプをそのまま測定管に使用して、然も、係止板を１種類にできる電磁流量計を実現する。【解決手段】測定管の内径面に係止板が取り付けられる電磁流量計において、前記測定管の両端内径面に一面が取り付けられ他面が前記係止板の外径面に取り付けられたリング状の第１の接続リングと、この第１の接続リングに設けられこの接続リングを軸方向に切断する切欠き部とを具備したことを特徴とする電磁流量計である。【選択図】図１
2010256266.tif 000002
【特許請求の範囲】
【請求項１】
測定管の内径面に係止板が取り付けられる電磁流量計において、
前記測定管の両端内径面に一面が取り付けられ他面が前記係止板の外径面に取り付けられたリング状の第１の接続リングと、
この第１の接続リングに設けられこの接続リングを軸方向に切断する切欠き部と
を具備したことを特徴とする電磁流量計。
【請求項２】
測定管の内径面に係止板が取り付けられる電磁流量計において、
前記測定管の両端内径面に沿ってリング状に設けられた段差部と、
この段差部に外径面が取り付けられ内径面に前記係止板の外径面が取り付けられたリング状の第２の接続リングと、
この第２の接続リングに設けられこの第２の接続リングを軸方向に切断する切欠き部と
を具備したことを特徴とする電磁流量計。
【請求項３】
測定管の内径面に係止板が取り付けられる電磁流量計において、
測定管の両端にそれぞれ取り付けられたフランジと、
このフランジに設けられ頂部に前記係止板が取り付けられた突起部と
を具備したことを特徴とする電磁流量計。
【発明の詳細な説明】
【技術分野】
【０００１】
本発明は、電磁流量計に関するものである。
更に詳述すれば、電磁流量計のライニング係止構造に関するものである。
【背景技術】
【０００２】
図６は従来より一般に使用されている従来例の要部構成説明図、図７は図６の要部構成説明図である。
図において、１は測定流体が流れる測定管である。
２は、測定管１の内面に設けられ絶縁材からなるライニング体である。
３は、ライニング体２を測定管１に係止する係止板である。
係止板３は、その端部４を折り曲げ、測定管１に挿入し溶接ａして、ライニング体２を係止する。
【０００３】
係止板３には等間隔に穴が空いており、端部４の折り曲げにより、測定管１と係止板３との間にも、ライニング体２が流れ込み係止される。そして、ライニング体２の圧力や温度による変形を防止する。
５は、測定管１に取り付けられたフランジである。
なお、ｂ，ｃは、測定管１にフランジ５を固定するための溶接部である。
【先行技術文献】
【特許文献】
【０００４】
【特許文献１】特開平０８−２１９８３３号公報
【発明の概要】
【発明が解決しようとする課題】
【０００５】
このような装置においては、以下の問題点がある。
測定管として市販のパイプ使用した場合、内径の寸法公差が大きく、それに合わせて、係止板の外径を合わせて作らなければならない。
そうしないと測定管と係止板との間に隙間ができたり、測定管に係止板が挿入できなかったりしてしまう。
【０００６】
したがって、市販のパイプの寸法公差に合わせるために、市販のパイプの寸法公差範囲内で、外径の異なる係止板を何種類も準備しなければならず不便であった。
係止板を１種類にするは、市販のパイプの内径寸法精度を上げるために、市販のパイプの内径寸法精度を厳しくして購入するか、市販のパイプの内径を切削加工しなければならず、測定管の単価が高くなってしまう。
【０００７】
本発明の目的は、上記の課題を解決するもので、購入単価が安い市販のパイプをそのまま測定管に使用して、然も、係止板を１種類にできる電磁流量計を提供することにある。
【課題を解決するための手段】
【０００８】
このような課題を達成するために、本発明では、請求項１の電磁流量計においては、
測定管の内径面に係止板が取り付けられる電磁流量計において、前記測定管の両端内径面に一面が取り付けられ他面が前記係止板の外径面に取り付けられたリング状の第１の接続リングと、この第１の接続リングに設けられこの接続リングを軸方向に切断する切欠き部とを具備したことを特徴とする。
【０００９】
本発明の請求項２の電磁流量計においては、
測定管の内径面に係止板が取り付けられる電磁流量計において、前記測定管の両端内径面に沿ってリング状に設けられた段差部と、この段差部に外径面が取り付けられ内径面に前記係止板の外径面が取り付けられたリング状の第２の接続リングと、この第２の接続リングに設けられこの第２の接続リングを軸方向に切断する切欠き部とを具備したことを特徴とする。
【００１０】
本発明の請求項３の電磁流量計においては、
測定管の内径面に係止板が取り付けられる電磁流量計において、測定管の両端にそれぞれ取り付けられたフランジと、このフランジに設けられ頂部に前記係止板が取り付けられた突起部とを具備したことを特徴とする。
【発明の効果】
【００１１】
本発明の請求項１によれば、次のような効果がある。
測定管の両端内径面に一面が取り付けられ、他面が係止板の外径面に取り付けられたリング状の第１の接続リングと、この第１の接続リングに設けられこの接続リングを軸方向に切断する切欠き部とが設けられたので、内径の寸法公差が大きい市販のパイプを使用して、市販のパイプの内径の寸法公差に対応して、厚みの異なる複数の第１の接続リングを用意するだけで良いので、製造コストが低減できる電磁流量計が得られる。
【００１２】
係止板を数種類準備するより、数種類の第１の接続リングを用意する方が、製作コストや保管場所のコストが掛からないからである。
測定管の端部の加工が不要で、安価にできる電磁流量計が得られる。
【００１３】
本発明の請求項２によれば、次のような効果がある。
測定管の両端内径面に沿ってリング状に設けられた段差部と、この段差部に外径面が取り付けられ内径面に係止板の外径面が取り付けられたリング状の第２の接続リングと、この第２の接続リングに設けられこの接続リングを軸方向に切断する切欠き部とが設けられたので、測定管の端部の段差部は機械で加工されるので寸法精度が安定しており、第２の接続リングの外径の寸法公差は、第２の接続リングの切欠き部で吸収できるので、係止板の内径を１種類にすることができる。
【００１４】
更に、従来例のように係止板の端面を曲げて、測定管と係止板間に隙間を空ける必要がなくなるため、係止板の曲げ加工が不要となり、加工工数が削減でき安価にすることができる電磁流量計が得られる。
【００１５】
本発明の請求項３によれば、次のような効果がある。
測定管の両端にそれぞれ取り付けられたフランジと、このフランジに設けられ頂部に係止板が取り付けられた突起部とが設けられたので、突起部は機械で加工されるので、寸法精度が安定しているため、係止板の外径を１種類にすることができる。
更に、従来例のように係止板の端面を曲げて、測定管と係止板間に隙間を空ける必要がなくなるため、係止板の曲げ加工が不要となり、加工工数が削減でき安価にすることができる電磁流量計が得られる。
【図面の簡単な説明】
【００１６】
【図１】本発明の一実施例の要部構成説明図である。
【図２】図１の要部構成説明図である。
【図３】本発明の他の実施例の要部構成説明図である。
【図４】本発明の他の実施例の要部構成説明図である。
【図５】本発明の他の実施例の要部構成説明図である。
【図６】従来より一般に使用されている従来例の要部構成説明図である。
【図７】図６の要部構成説明図である。
【発明を実施するための形態】
【００１７】
以下本発明を図面を用いて詳細に説明する。
図１は本発明の一実施例の要部構成説明図、図２は図１の要部構成説明図である。
図において、図６と同一記号の構成は同一機能を表す。
以下、図６との相違部分のみ説明する。
【００１８】
図１において、第１の接続リング１１は、測定管１の両端内径面に一面が取り付けられ、他面が係止板３の外径面に取り付けられリング状をなす。
図２に示す如く、切欠き部１２は、第１の接続リング１１に設けられ、この接続リング１１を軸方向に切断する。
【００１９】
以上の構成において、図１に示す如く、測定管１とフランジ５とは、溶接ｃ，ｄして、固定される。
測定管１の内側の両端部にそれぞれリング１１を挿入し、溶接ｅして、固定される。
リング１１の内径側に係止板１３が溶接ｆして、固定される。
【００２０】
この結果、測定管１の両端の内径面に一面が取り付けられ、他面が係止板１３の外径面に取り付けられたリング状の第１の接続リング１１と、この第１の接続リング１１に設けられこの接続リング１１を軸方向に切断する切欠き部１２とが設けられたので、内径の寸法公差幅が大きい市販のパイプを使用して、市販のパイプの内径の寸法公差に対応して、厚みの異なる複数の第１の接続リング１１を用意するだけで良いので、製造コストが低減できる電磁流量計が得られる。
【００２１】
係止板１３を数種類準備するより、数種類の第１の接続リング１１を用意する方が、製作コストや保管場所のコストが掛からないからである。
測定管１の端部の加工が不要で、安価にできる電磁流量計が得られる。
【００２２】
更に、図６従来例のように係止板の端面を曲げて、測定管１と係止板１３の間に隙間を空ける必要がなくなるため、係止板１３の曲げ加工が不要となり、加工工数が削減でき安価にすることができる電磁流量計が得られる。
【００２３】
図３は、本発明の他の実施例の要部構成説明図である。
図３において、段差部２１は、測定管２２の両端内径面に設けられている。
第２の接続リング２３は、この段差部２１に外径面が取り付けられ、内径面に係止板２４の外径面が取り付けられている。
図２に示す如き、切欠き部は、この第２の接続リング２３に設けられ、第２の接続リング２３を軸方向に切断する。
【００２４】
以上の構成において、測定管２２の内側の端部に設けられた段差部２１に、第２の接続リング２３を挿入し溶接ｇする。
第２の接続リング２３の内径側に係止板２４を溶接ｈする。
【００２５】
測定管２２の両端内径面に沿ってリング状に設けられた段差部２１と、この段差部２１に外径面が取り付けられ、内径面に係止板３の外径面が取り付けられたリング状の第２の接続リング２３と、この第２の接続リング２３に設けられ、この接続リングを軸方向に切断する切欠き部とが設けられたので、測定管２２の端部の段差部２１は機械で加工されるので寸法精度が安定しており、第２の接続リング２３の外径の寸法公差は、第２の接続リング２３の切欠き部で吸収できるので、係止板２４の内径を１種類にすることができる。
【００２６】
更に、図６従来例のように係止板の端面を曲げて、測定管２２と係止板３の間に隙間を空ける必要がなくなるため、係止板２４の曲げ加工が不要となり、加工工数が削減でき安価にすることができる電磁流量計が得られる。
【００２７】
図４は、本発明の他の実施例の要部構成説明図である。
図４において、フランジ３１は、測定管３２の両端にそれぞれ取り付けられている。
突起部３３は、このフランジ３１に設けられ頂部３４に係止板３５が溶接ｉ取り付けられている。
【００２８】
以上の構成において、測定管３２とフランジ３１の外側を溶接ｊ、内側をロウ付けｋする。
突起部３３に係止板３５を溶接ｉする。
【００２９】
この結果、測定管３２の両端にそれぞれ取り付けられたフランジ３１と、このフランジ３１に設けられ、頂部３４に係止板３５が取り付けられた突起部３３とが設けられたので、突起部３３は機械で加工されるので、寸法精度が安定しているため、係止板３５の外径を１種類にすることができる。
更に、従来例のように係止板の端面を曲げて、測定管３２と係止板３５の間に隙間を空ける必要がなくなるため、係止板３５の曲げ加工が不要となり、加工工数が削減でき安価にすることができる電磁流量計が得られる。
【００３０】
図５は、本発明の他の実施例の要部構成説明図である。
図４において、溶接トーチが入る内径の製品であれば、図５のように、測定管３２、フランジ３１の内側も溶接ｌでき、同様の形状が製作可能となる。
【００３１】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３２】
１      測定管
２      ライニング体
３      係止板
４      端部
５      フランジ
１１    第１の接続リング
１２    切欠き部
１３    係止板
２１    段差部
２２    測定管
２３    第２の接続リング
２４    係止板
２５    切欠き部
３１    フランジ
３２    測定管
３３    突起部
３４    頂部
３５    係止板
ａ      溶接
ｂ      溶接
ｃ      溶接
ｄ      溶接
ｅ      溶接
ｆ      溶接
ｇ      溶接
ｈ      溶接
ｉ      溶接
ｊ      溶接
ｋ      ロウ付け
ｌ      溶接
【図１】
2010256266.tif 000003
【図２】
2010256266.tif 000004
【図３】
2010256266.tif 000005
【図４】
2010256266.tif 000006
【図５】
2010256266.tif 000007
【図６】
2010256266.tif 000008
【図７】
2010256266.tif 000009